(57)【要約】【課題】自動販売機等の扉のヒンジ部側で扉の開閉をガードロックする一方で、開閉時は扉の開閉動作の障害になることがない防犯用補助ロック金具を提供する。【解決手段】扉Ｂのヒンジ側角部１５を跨いで且つスライドバー４０をストッパ５０で抜け止めした状態で扉の正面１６とキャビネットＡのヒンジ側側面１７に組み付け、ヒンジ部Ｈ側で扉の開閉をガードロックする一方で、取付ベースと正面ガードカバー３０とリンクアーム３５とスライドバー４０とをピン継手で屈曲自在に連結し、扉の開閉時は、その開閉動作に応じて正面ガードカバー３０とリンクアーム３５とがリンク動作して扉の開閉動作に追従する構成にする。【選択図】          図１
0003124822.tif 000002
【実用新案登録請求の範囲】
【請求項１】
箱形のキャビネットにヒンジ部を介して開閉自在に連結した扉を施解錠する、該扉の正面に有した主たる錠前装置とは別に、前記ヒンジ部を有する側の前記扉の角部を跨いで該扉の正面と前記キャビネットのヒンジ側側面との間に組み付けて、前記扉の開閉をロックする防犯用補助ロック金具であって、
前記扉の角部寄り正面端部に、その正面側から止め具で固着する取付ベースと、
一端部を該取付ベースに対し継手ピンで回動可能に連結して折り重ね自在に前記扉の角部寄り正面端部に配置する正面ガードカバーと、
該正面ガードカバーの配置高さ位置に合わせて前記キャビネットのヒンジ側側面に対し横向きに配置し、そのヒンジ側側面に固着するバーホルダで該側面の幅方向にスライド自在に保持するスライドバーと、
一端を該スライドバーの基端部に継手ピンで回動可能に連結する一方、他端を前記正面ガードカバーの他端部に継手ピンで回動可能に連結して前記正面ガードカバーとで前記扉の角部を跨いで配設するリンクアームと、
前記スライドバーの前記バーホルダより先端部側に固着して前記スライドバーを抜け止めするストッパと、を備えてなることを特徴とする、防犯用補助ロック金具。
【考案の詳細な説明】
【技術分野】
【０００１】
本考案は、自動販売機等の箱形キャビネットにヒンジ部を介して開閉自在に連結した扉を施解錠する主たる錠前装置とは別に、ヒンジ部を有する側の扉の角部を跨いで組み付けて、扉の開閉をロックする防犯用補助ロック金具に関する。
【背景技術】
【０００２】
従来、自動販売機などでは、たとえば図８に示すように、正面の扉１にシリンダ錠等の錠前装置２が組み込まれているが、バール等の適宜工具を使って不正に解錠されたり、破壊されたりして盗難に会うことがあるため、主たる錠前装置２とは別に、Ｌ字状に折り曲げたロックアーム３を、扉１と本体の箱型キャビネット４の側面コーナーに沿って配置し、防犯錠５で保持してキャビネット４に固定した防犯用ロック金具６を備え、この防犯用ロック金具６と錠前装置２とで二重にロックしている（特許文献１参照）。なお、図中符号７は、扉１のヒンジ部である。（特許文献参照）。
【０００３】
しかし、最近では、上述のようにロックアーム３を備えた防犯用ロック金具６を組み付けて二重ロック構造にしても、同様にバールやチェーンソー等を用いて、ヒンジ部７を壊して扉１がこじ開けられることがあり、依然として、盗難を十分に防止できないという問題がある。
【０００４】
そこで、従来、たとえヒンジ部を壊すなどの手法が採られることがあっても、扉がこじ開けられないように、ロックアームを、ヒンジ部を有する側の扉の角部を跨いで扉とキャビネット間に組み付けて、扉の開閉をロックする防犯用補助ロック金具が提案されている（特許文献２参照）。
【特許文献１】登録実用新案第３０２６２９７号公報
【特許文献２】特開２００４−１２４６２５号公報
【考案の開示】
【考案が解決しようとする課題】
【０００５】
ところが、従来の防犯用補助ロック金具では、キャビネットに固着したアームホルダでロックアームを着脱自在に保持する一方、アームホルダに錠前装置を組み込み、その錠前装置の施解錠操作と連動してロックアームを係脱自在に保持する構成であり、扉を開けるときには、ロックアームが扉の開放動作の障害にならないように、合鍵で錠前装置を解錠操作してロックアームの係止を外してから、ロックアームを扉の角部から退避させて扉のロックを解除することが必要となる構造になっている。従って、これでは、自動販売機等の扉を開くたびに、その都度、合鍵による解錠操作やロックアームの退避動作が必要になる一方で、その後の閉時にも、先の退避位置からロックアームを再び前記扉の角部を跨いだロック位置へ戻し、合鍵で錠前装置を施錠操作してアームホルダに係止して扉をロックする操作が必要となり、それだけ扉の開閉作業が著しく面倒であるという課題があった。
【課題を解決するための手段】
【０００６】
そこで、上記課題を解決すべく、請求項１に記載の考案は、たとえば以下に示す図示実施の形態のとおり、箱形のキャビネットＡにヒンジ部Ｈを介して開閉自在に連結した扉Ｂを施解錠する、該扉Ｂの正面１６に有した主たる錠前装置Ｃとは別に、前記ヒンジ部Ｈを有する側の前記扉Ｂの角部１５を跨いで該扉Ｂの正面１６と前記キャビネットＡのヒンジ側側面１７との間に組み付けて、前記扉Ｂの開閉をロックする防犯用補助ロック金具Ｌ２であって、前記扉Ｂの角部寄り正面端部５５に、その正面側から止め具で固着する取付ベース２５と、一端部を該取付ベース２５に対し継手ピン３３で回動可能に連結して折り重ね自在に前記扉Ｂの角部寄り正面端部５５に配置する正面ガードカバー３０と、該正面ガードカバー３０の配置高さ位置に合わせて前記キャビネットＡのヒンジ側側面１７に対し横向きに配置し、そのヒンジ側側面１７に固着するバーホルダ４５で該側面１７の幅方向にスライド自在に保持するスライドバー４０と、一端を該スライドバー４０の基端部に継手ピン４３で回動可能に連結する一方、他端を前記正面ガードカバー３０の他端部に継手ピン３６で回動可能に連結して前記正面ガードカバー３０とで前記扉Ｂの角部１５を跨いで配設するリンクアーム３５と、前記スライドバー４０の前記バーホルダ４５より先端部側に固着して前記スライドバー４０を抜け止めするストッパ５０と、を備えてなることを特徴とする。
【考案の効果】
【０００７】
本考案の防犯用補助ロック金具は、自動販売機等が主たる錠前装置で扉の開閉を施錠してロックした状態にあるとき、扉のヒンジ側角部を跨いで且つスライドバーをストッパで抜け止めした状態で扉の正面とキャビネットのヒンジ側側面に組み付け、ヒンジ部側で扉の開閉をガードロックした構成であるため、たとえヒンジ部を壊して扉を不法にこじ開けようとしても、扉の開放を阻止して確実に防護することができる。一方で、取付ベースと正面ガードカバーとリンクアームとスライドバーとをピン継手で屈曲自在に連結し、扉の開閉時は、その開閉動作に応じ正面ガードカバーとリンクアームとがリンク動作して扉の開閉動作に追従する構成であるため、扉の開閉時にその開閉動作の障害になることがなく、その結果、従来の如く扉の開閉のたびに開閉動作の妨げとならないようにロック金具を施解錠操作したり退避させたりする面倒な操作の必要なく、そのまま扉を開閉することができる。
【０００８】
本考案の防犯用補助ロック金具は、扉のヒンジ側角部をガードロックした状態において、取付ベースに正面ガードカバーが折り重なる防護構造であるため、取付ベースの取付ボルト等の止め具の頭部は堅牢な正面ガードカバーで覆い隠され、これにより、不法に扉をヒンジ側からこじ開けようとして止め具を緩めたり外したりすることを確実に阻止し、防犯性を向上させることができる。
【０００９】
本考案の防犯用補助ロック金具は、扉のヒンジ側角部を跨いで扉の正面とキャビネットのヒンジ側側面間に組み付けたとき、この組付けに、たとえ取付誤差があったとしても、スライドバーをバーホルダにスライド自在に保持する構造であるため、扉の開閉時は、スライドバーのスライド動作によって前記取付誤差を吸収し、これによって、扉の開閉動作をガタつかせて、それに悪影響を及ぼすことなく、スムーズに追従して動作し、つまり、常に正面ガードカバーとリンクアームを円滑にリンク運動させて作動することができる。
【００１０】
本考案の防犯用補助ロック金具は、自動販売機等の機種の違いから扉の厚さが異なる場合には、その扉厚に合わせてバーホルダをスライドバーの長さ方向に摺動させて位置を決めれば、簡単に所望の取付位置にヒンジ側側面に固着することができ、その結果、サイズ等の異なる複数種の補助ロック金具を別途に用意して使い分ける必要なく、自動販売機等の機種の違いに対応させて付設することができる。
【考案を実施するための最良の形態】
【００１１】
以下、図面を参照しつつ、本考案の最良の実施形態について説明する。
【００１２】
図１（ａ）は、本考案の一例である防犯用補助ロック金具を自動販売機に組み付けた状態を示す斜視図、（ｂ）は、（ａ）図中の防犯用補助ロック金具の拡大斜視図、図２は、その防犯用補助ロック金具の分解斜視図である。図中符号Ａは、自動販売機の本体である縦長箱形のキャビネット、符号Ｂは、キャビネットＡにヒンジ部Ｈを介して開閉自在に取り付けた扉、符号Ｃは、扉Ｂの正面に組み込まれた、例えば周知のシリンダ錠からなる主たる錠前装置、符号Ｌ１は、扉Ｂの錠前装置側で開閉をロックする防犯用ロック金具、Ｌ２は、扉Ｂのヒンジ側で開閉をロックする本考案の防犯用補助ロック金具である。
【００１３】
ヒンジ部Ｈは、枢軸１０を下向きに突設した上ヒンジ板１１をキャビネットＡと扉Ｂの頂面を跨いで固着する一方、図示省略するが、キャビネットＡの底部正面側から上向きに枢軸を突設し、上下の両枢軸をそれぞれ扉Ｂのヒンジ側角部１５の上下面に貫挿し、両枢軸を支点として扉ＢをキャビネットＡに対し回動させて開閉自在に連結する。そして、扉ＤをキャビネットＡに対し９０度開いた状態のとき、扉Ｂの角部１５が出っ張らないで、扉Ｂの正面１６とキャビネットＡのヒンジ側側面１７とが面一になるように組み付けてなる（図６参照）。
【００１４】
防犯用ロック金具Ｌ１は、公知のアームロック装置で、キャビネットＡの錠前側側面１８に、扉Ｂとの間を跨いでＬ状のロックアーム１９を配設すると共に、アームホルダ２０を固着し、該アームホルダで、ロックアーム１９を、その先端側アーム部１９ａが錠前装置Ｃの鍵穴を覆うロック位置と、キャビネットＡの錠前側側面１８に沿って直立するロック解除位置との間を回動可能に保持する構造になっている。アームホルダ２０には、合鍵を操作して施解錠するシリンダ錠が組み込まれ、そのシリンダ錠の施解錠操作と連動してロックアーム１９を係脱自在に保持している。
【００１５】
さて、本考案の防犯用補助ロック金具Ｌ２は、それぞれ耐衝撃性を有したステンレス鋼等の金属材料を用いて剛性ガード部品として肉厚形状に一体成形してなる、取付ベース２５と、正面ガードカバー３０と、リンクアーム３５と、スライドバー４０と、バーホルダ４５と、ストッパ５０を備え、これら剛性ガード部品を連結して組み立ててなる。
【００１６】
取付ベース２５は、矩形平板な取付板部２５ａの両側縁から側壁部２５ｂを立ち上げて略コ形状に成形し、それら側壁部２５ｂの一端に、図３に示すように、それぞれ互いに貫通穴のピン穴を向かい合わせて軸保持部２５ｃを凸設してなる。取付板部２５ａには、取付ボルト（止め具）２６のねじ部２６ａを通すねじ挿通穴２７を穿設している。
【００１７】
正面ガードカバー３０は、取付ベース２５に被せて冠着可能に、全体を比較的浅底でやや縦長な矩形キャップ状に成形し、図２に示すように、両端部には、それぞれ貫通するピン穴を有した円筒状の軸保持部３０ａ・３０ｂを形成し、片側の側壁部３０ｃには、ピン挿通穴３１・３２を開けて形成してなる。平板部３０ｄ上には、軸保持部３０ａ・３０ｂ間に渡って補強リブ３０ｅが設けられている。かかる正面ガードカバー３０は、取付ベース２５に被せて係合し、互いの軸保持部３０ａ・２５ｃのピン穴を一致させてから、ピン挿通穴３１から第１継手ピン３３を入れて軸保持部３０ａ・２５ｃのピン穴に挿通し、波形ピン３４で抜け止めすることにより、図３に示すように、取付ベース２５に回動可能に連結して折り重ね自在に組み付ける。
【００１８】
リンクアーム３５は、図２に示すようにＨ型に成形し、一対の片側突端に、一方が貫通穴の互いのピン穴を向かい合わせて短筒状の軸保持部３５ａを形成すると共に、一対の他側突端にも、一方が貫通穴の互いのピン穴を向かい合わせて短筒状の軸保持部３５ｂを形成してなる。そして、リンクアーム３５は、片側突端の軸保持部３５ａを、正面ガードカバー３０の軸支持部３０ｂの両端に係合させて互いのピン穴を連通状態とし、ピン挿通穴３２から第２継手ピン３６を入れて軸保持部３５ａ・３０ｂのピン穴に挿通し、波形ピン３７で抜け止めすることにより、図３に示すように、正面ガードカバー３０に回動可能に連結する。
【００１９】
スライドバー４０は、全体を略Ｔ型に成形し、比較的太径な丸棒状で、先端部がテーパとなった軸部４１と、その軸部４１の基端部から直交する向きに伸びピン穴の貫通した筒状の軸保持部４２とで形成してなる。軸部４１には、先端部に、図３に示すように複数の位置決め凹部４１ａ…を等間隔に並設している。そして、スライドバー４０は、軸保持部４２をリンクアーム３５の軸保持部３５ｂ間に係合させて互いのピン穴を連通状態とし、それらピン穴に、図２に示す第３継手ピン４３を挿通し、波形ピン４４で抜け止めしてリンクアーム３５に回動可能に連結する。
【００２０】
バーホルダ４５は、図２に示すように、三角むすび型ピース状に成形し、スライドバー４０が遊嵌可能な穴径の軸嵌合穴４６を厚さ方向に貫通して設け、底面に、ねじ軸４７を立設してなる。そして、バーホルダ４５は、軸嵌合穴４６にスライドバー４０を通して該スライドバー４０に互いに摺動可能に嵌装する。
【００２１】
ストッパ５０は、略ドーナツ型に成形し、外周に雌ねじ穴５１を貫通して設けてなる。ストッパ５０は、予め扉Ｂの扉厚寸法（例えば４０〜６０ｍｍ）に応じて位置決め凹部４１ａ…の１つに係止し、その係止長さ位置でスライドバー４０に固定ねじ５２を雌ねじ穴５１に捩じ込んで固定する。こうして防犯用補助ロック金具Ｌ２は、図３に示すように、取付ベース２５と、正面ガードカバー３０と、リンクアーム３５と、バーホルダ４５を嵌装したスライドバー４０をピン継手構造によって互いに屈曲自在に連結して組み立ててなる。
【００２２】
そこで、防犯用補助ロック金具Ｌ２は、図４に示すように、扉Ｂの角部１５寄りの正面端部５５に、取付ベース２５を、取付ボルト２６を用いて固着する。そのとき、図中右側の扉Ｂの外側（正面側）から、取付ボルト２６のねじ部２６ａをねじ挿通穴２７に挿通させてから、特殊ナット５６を用いて取付ベース２５を扉Ｂの正面端部５５に締着する。次いで、取付ベース２５に対し、第１継手ピン３３を支点として正面ガードカバー３０を回動し、取付ベース２５に正面ガードカバー３０を折り重ねて嵌合させると共に、図５に示すように、正面ガードカバー３０に対し、第２継手ピン３６を支点としてリンクアーム３５を回動し、扉Ｂの角部１５に沿って直角に屈曲させて、スライドバー４０をキャビネットＡのヒンジ側側面１７に対し横向きに配置してから、バーホルダ４５を、ヒンジ側側面１７の所定取付位置に取り付ける。そのときは、バーホルダ４５を、スライドバー３５の長さ方向に摺動し、扉Ｄの扉厚（例えば４０〜６０ｍｍ）に合わせてずらし、所定取付位置に位置決め調整してから、その所定取付位置で、ねじ軸４７にバネ座金５９を介しナット６０を螺合し、バックプレート４８を挟んでヒンジ側側面１７に固着する。このように防犯用補助ロック金具Ｌ２は、自動販売機の機種の違いから扉の厚さが異なる場合には、その扉厚に合わせてバーホルダ４５をスライドバー３５の長さ方向に摺動させて位置決めれば、簡単に所望の取付位置にヒンジ側側面１７に固着することができる。その結果、サイズ等の異なる複数種の補助ロック金具を別途に用意して使い分ける必要がなく、自動販売機等の機種の違いに対応させて付設することができる。
【００２３】
こうして防犯用補助ロック金具Ｌ２は、扉Ｂの角部１５を跨いで、且つスライドバー４０をストッパ５０で抜け止めした状態で、扉Ｂの正面とキャビネットＡのヒンジ側側面１７に組み付ける。従って、図示例では、自動販売機が扉Ｂを錠前装置Ｃと防犯用ロック金具Ｌ１とで扉Ｂの錠前装置Ｃ側での開閉をロックされた状態にあるとき、防犯用補助ロック金具Ｌ２は、ヒンジ部Ｈ側で扉Ｂの開閉をロックする。よって、図示自動販売機では、たとえヒンジ部Ｈを壊して扉Ｂを不法にこじ開けようとしても、堅牢な防犯用補助ロック金具Ｌ２により扉Ｂをガードロックし、その開放を阻止して防護することができる。
【００２４】
しかも、防犯用補助ロック金具Ｌ２は、このように扉Ｂの角部１５をガードロックした状態において、取付ベース２５に正面ガードカバー３０を折り重ねて嵌着した防護構造であるため、取付ベース２５の取付ボルト（止め具）２６のねじ頭部が堅牢な正面ガードカバー３０で覆い隠され、これにより、不法に扉Ｂをこじ開けようとして取付ボルト２６を緩めたり外したりすることを確実に阻止することができる。
【００２５】
一方、図示自動販売機において、扉Ｂを必要に応じて開けるときは、まず、防犯用ロック金具Ｌ１に備えたアームホルダ２０のシリンダ錠を解錠してロックアーム１９の係止状態を解除し、該ロークアームを回動してロック解除位置へ退避させてから、錠前装置Ｃを解錠して開閉ロック状態を解く。しかる後に、扉Ｂを開くと、防犯用補助ロック金具Ｌ２は、取付ベース２５と正面ガードカバー３０とリンクアーム３５とスライドバー４０とをピン継手で屈曲自在に連結しているため、扉Ｂの開放動作に追従してリンク動作する。即ち、扉Ｂを開くと、その開き角度に応じて、扉Ｂの正面端部５５に固定の取付ベース２５によって正面ガードカバー３０が押され、それに従って、図６に示すように、正面ガードカバー３０とリンクアーム３５とが継手ピン３３・３６・４３を支点としてリンク運動しながら回動し、扉Ｂの開放動作を妨げないようにく字状に屈曲する。更に、扉Ｂが開いて、開き角度が９０度を超えたとき、取付ベース２５の突当て部２５ｄがリンクアーム３５の軸保持部３５ｂに当接し、図７に示すように、そのリンクアーム３５にスライドバー４０が押されると、スライドバー４０はヒンジ側側面１７の奥側へスライドして扉Ｂの開きを許容する。その後、リンクアーム３５の軸保持部３５ｂがバーホルダ４５に突き当たり、扉Ｂのそれ以上の開きを止める。
【００２６】
他方、扉Ｂを閉めるとき、防犯用補助ロック金具Ｌ２は、扉Ｂの閉止動作に追従して動作し、扉Ｂの閉方向への回動に従って正面ガードカバー３０が取付ベース２５に引っ張られると、正面ガードカバー３０とリンクアーム３５とが継手ピン３３・３６・４３を支点としてリンク運動しながら回動し、スライドバー４０をヒンジ側側面１７の正面手前側へスライドさせながら、扉Ｂの閉止動作を妨げないように扉Ｂの角部１５に沿ってＬ形に展開し、その扉Ｂの角部１５を跨いだロック状態に戻る。
【００２７】
なお、防犯用補助ロック金具Ｌ２は、上述の如く扉Ｂの角部１５を跨いで扉Ｂの正面とキャビネットＡのヒンジ側側面１７間に組み付けたとき、この組付けに、たとえ取付誤差があったとしても、スライドバー４０をバーホルダ４５にスライド自在に嵌装して保持する構造であるため、扉Ｂの開閉時は、スライドバー４０のスライド動作によって前記取付誤差を吸収し、これによって、扉Ｂの開閉動作をガタつかせて、それに悪影響を及ぼすことなく、スムーズに追従して動作し、つまり、正面ガードカバー３０とリンクアーム３５を円滑にリンク運動させて作動することができる。
【図面の簡単な説明】
【００２８】
【図１】本考案の一例である防犯用補助ロック金具を自動販売機に組み付けた状態を示す斜視図、（ｂ）は防犯用補助ロック金具の拡大斜視図である。
【図２】防犯用補助ロック金具の分解斜視図である。
【図３】防犯用補助ロック金具を組立状態で示す斜視図である。
【図４】防犯用補助ロック金具を自動販売機のヒンジ側に取り付け始める段階を示す平面図である。
【図５】防犯用補助ロック金具を自動販売機のヒンジ側に取り付けた段階を示す平面図である。
【図６】防犯用補助ロック金具を、扉を９０度開いたときの状態において示す平面図である。
【図７】防犯用補助ロック金具を、扉を１３０度開いたときの状態において示す平面図である。
【図８】従来の防犯用ロック金具を組み付けた自動販売機を示す斜視図である。
【符号の説明】
【００２９】
Ａ                自動販売機のキャビネット
Ｂ                扉
Ｃ                錠前装置
Ｈ                ヒンジ部
Ｌ１              防犯用ロック金具
Ｌ２              防犯用補助ロック金具
１５              扉のヒンジ側角部
２５              取付ベース
３０              正面ガードカバー
３３・３６・４３  継手ピン
３５              リンクアーム
４０              スライドバー
４５              バーホルダ
５０              ストッパ
【図１】
0003124822.tif 000003
【図２】
0003124822.tif 000004
【図３】
0003124822.tif 000005
【図４】
0003124822.tif 000006
【図５】
0003124822.tif 000007
【図６】
0003124822.tif 000008
【図７】
0003124822.tif 000009
【図８】
0003124822.tif 000010